(57)【要約】  本発明は、開放位置と燃焼室内への圧縮ガスの吸気を遮断する閉鎖位置とを取る能力がある圧縮ガス吸気弁（２２）を備え、燃焼室外への燃焼ガスの排気を遮断する閉鎖位置を取る能力がある燃焼ガス排気弁（２４）をさらに備える、航空タービンエンジン用の定容燃焼室（１０）に関する。  本発明によると、吸気弁（２２）および排気弁（２４）のうちの少なくとも一方は少なくとも１つの球栓（３２ａ、３２ｂ、３８ａ、３８ｂ）を備える。
2015528082.tif 000002
【特許請求の範囲】
【請求項１】
開放位置と燃焼室内への圧縮ガスの吸気を遮断する閉鎖位置とを取る能力がある圧縮ガス吸気弁（２２）を備え、燃焼室外への燃焼ガスの排気を遮断する閉鎖位置を取る能力がある燃焼ガス排気弁（２４）をさらに備える、航空タービンエンジン用の定容燃焼室（１０）であって、吸気弁（２２）および排気弁（２４）のうちの少なくとも一方は少なくとも１つの球栓（３２ａ、３２ｂ、３８ａ、３８ｂ）を備えることを特徴とする、燃焼室。
【請求項２】
円形断面を有する円筒状側壁（１４）を備えることを特徴とする、請求項１に記載の燃焼室。
【請求項３】
排気弁（２４）の球栓（３２ｂ）がガス通路（３４ｂ）を有することと、排気弁の閉鎖を結果としてもたらすガス排気段階後、前記ガス通路（３４ｂ）内に捕捉された燃焼ガスの再循環を可能にするように設計されることとを特徴とする、請求項１または請求項２に記載の燃焼室。
【請求項４】
前記少なくとも１つの球栓を備える前記弁（２２、２４）が、
ガス通路（３４ａ）によって横断される内側球体（３２ａ）と、
前記内側球体（３２ａ）を収容し、相互に離れた２つのオリフィス（４０ａ）が設けられた外側球体（３８ａ）と
を備え、
少なくとも一方が前記少なくとも１つの球栓の役割を果たす前記内側球体（３２ａ）および前記外側球体（３８ａ）は、互いに対して回転可能に取り付けられ、外側球体の前記２つのオリフィス（４０ａ）は、前記ガス通路（３４ａ）と協同してそれらの２つの端（５４ａ）のそれぞれに隔壁（６０ａ）をそれぞれ形成するように配置されることを特徴とする、請求項１から３のいずれか一項に記載の燃焼室。
【請求項５】
前記内側球体（３２ａ）および前記外側球体（３８ａ）が二重反転するように取り付けられることを特徴とする、請求項４に記載の燃焼室。
【請求項６】
前記２つの外側球体オリフィス（４０ａ）のそれぞれと、前記内側球体のガス通路の２つの端（５４ａ）とが、正面から見ると、全体的に楕円形状を有し、長さ（５６ａ、５８ａ）は、外側球体に対する内側球体の回転軸（４２ａ）に垂直に延びることと、これらのオリフィス（４０ａ）／ガス通路の端（５４ａ）の中心（５０ａ、５２ａ）は前記回転軸（４２ａ）に直交する同じ平面（Ｐ）内に配置されることとを特徴とする、請求項４または請求項５に記載の燃焼室。
【請求項７】
少なくとも１つの封止要素（６２ａ、６４ａ）が、前記球栓（３８ａ）と弁の固定体（２６ａ）との間に設けられることを特徴とする、請求項１から６のいずれか一項に記載の燃焼室。
【請求項８】
請求項１から７のいずれか一項に記載の少なくとも１つの燃焼室（１０）を備える燃焼室モジュール（４）であって、前記少なくとも１つの球栓（３２ａ、３８ａ）を回転駆動するための手段（４６）を備え、前記駆動手段（４６）は各球栓を一定の回転速度で駆動するように優先的には設計されることを特徴とする、燃焼室モジュール。
【請求項９】
タービンエンジンの駆動軸（１１）を中心に分配された請求項１から７のいずれか一項に記載の複数の燃焼室（１０）を備えることを特徴とする、請求項８に記載のモジュール。
【請求項１０】
少なくとも１つの燃焼室（１０）について、前記駆動手段（４６）が、前記吸気弁（２２）および前記排気弁（２４）を同期的に段階シフトで制御するように設計されることを特徴とする、請求項８または請求項９に記載のモジュール。
【請求項１１】
請求項８から１０のいずれか一項に記載の燃焼モジュール（４）を備える航空タービンエンジン（１）。
【発明の詳細な説明】
【技術分野】
【０００１】
本発明は、航空タービンエンジン用の定容燃焼室の分野に関する。
【０００２】
本発明は、任意のタイプのタービンエンジン、特にターボジェット、ターボプロップ、およびオープンロータターボエンジンに適用される。
【背景技術】
【０００３】
従来から、航空タービンエンジンの燃焼室はブレイトンサイクルに従って動作し、定圧燃焼を有すると言われている。しかしながら、燃費向上のために、ブレイトンサイクルの燃焼室を、定容燃焼または「ＣＶＣ」を有すると言われるハンフリーサイクルの燃焼室と置き換えることが構想されている。
【０００４】
フランス特許第２９４５３１６号明細書は、このようなＣＶＣ燃焼室の実施形態の一例について記載している。燃焼室は開放位置と閉鎖位置との間で切り替える能力がある圧縮ガス吸気弁を入口に備え、開放位置と閉鎖位置との間で切り替える能力がまたある圧縮ガス排出弁を出口に備える。弁の位置は、ハンフリーサイクルの３つの連続段階、即ち吸気、燃焼、排気を実施するために、同期的に制御される。
【０００５】
しかしながら、従来技術による解決法では、吸気弁および排気弁の設計が、特に堅牢性および気密性の点で完全になり得ることが判明しており、気密性には、燃焼段階中に観察される高圧中に特に問題が潜在的にある。
【先行技術文献】
【特許文献】
【０００６】
【特許文献１】仏国特許発明第２９４５３１６号明細書
【発明の概要】
【発明が解決しようとする課題】
【０００７】
本発明の目的は、従来技術の実施形態に関する上述の欠点を少なくとも部分的に改善することである。
【課題を解決するための手段】
【０００８】
この目的で、本発明は、開放位置と燃焼室内への圧縮ガスの吸気を遮断する閉鎖位置とを取る能力がある圧縮ガス吸気弁を備え、燃焼室外への燃焼ガスの排気を遮断する閉鎖位置を取る能力がある燃焼ガス排気弁をさらに備える、航空タービンエンジン用の定容燃焼室に関する。
【０００９】
本発明によると、吸気弁および排気弁のうちの少なくとも一方は少なくとも１つの球栓を備える。
【００１０】
本発明は、タービンエンジンの燃焼室に適用される従来の解決方法を打破し高性能の堅牢性および気密性の特徴をもたらす球栓弁の技術を構想することを特徴とする。これは有利には、従来技術による解決法に対して１０から１５％の範囲の燃費向上が観察されているので、耐用年数および全体的性能の点で利点を結果としてもたらす。
【００１１】
さらには、本発明は有利には、球栓の単なる回転に基づいた確実な原理に従って、好ましくは常に同じ方向で、好ましくは一定の速度で動作する。この単なる回転は、吸気、燃焼、および排気などのハンフリーサイクルの段階の進行と調和した形で、弁を通るガスの流れを交互に可能にしたり遮断したりすることを可能にする。極めて優先的には、吸気弁および排気弁の両方は、本発明の特定の原理に従って設計される。
【００１２】
好ましくは、燃焼室は、円形断面を有する円筒状側壁を備える。燃焼が起きる筺体を画定するこの側壁の形状は、筺体内の燃焼流の対称性と熱移動とを促進する。さらには、そのような形状と、燃焼室をその両端で閉鎖する球栓弁との係合は、例えば基本的な封止要素を用いて、満足な気密性レベルを得ることを可能にする。
【００１３】
好ましくは、排気弁の球栓はガス通路を有し、前記燃焼室は、排気弁の閉鎖を結果としてもたらすガス排出段階後、前記ガス通路内に捕捉された燃焼ガスの再循環を可能にするように設計される。排気ガスの再循環（ＥＧＲ）は、後続の燃焼段階中に燃焼室の内部、または燃焼サイクルの実施において段階シフトを任意選択で有する隣接する燃焼室内のいずれかで行われる。
【００１４】
本発明の１つの好ましい実施形態によると、前記少なくとも１つの球栓を備える前記弁は、
−ガス通路によって横断される内側球体と、
−前記内側球体を収容し、相互に離れた２つのオリフィスが設けられた外側球体と
を備え、
少なくとも一方が前記少なくとも１つの球栓の役割を果たす前記内側球体および前記外側球体は互いに対して回転可能に取り付けられ、外側球体の前記２つのオリフィスは、前記ガス通路と協同してそれらの２つの端のそれぞれに隔壁をそれぞれ形成するように配置される。
【００１５】
このようにして、この好ましい実施形態は、互いに連動した２つの穿孔付き球体の単なる相対的な回転によって弁の開放および閉鎖を可能にする。一般的な法則として、弁は、穴が対で少なくとも部分的に互いに面しているとき開放され、閉鎖は、前記オリフィスおよびガス通路によって形成された前記穴の角度偏位によって得られる。
【００１６】
好ましくは、内側球体および外側球体は二重反転するように取り付けられる。この場合、内側球体および外側球体はそれぞれ、本発明による球栓の役割を果たす。別法として、２つのうちの一方のみ、内側または外側が栓であることが可能であり、他方は燃焼室の側壁に対して静止したままである。２つの球体の二重反転する性質は、隔壁の全開放時間の間２つの隔壁のそれぞれの中心を燃焼室の側壁に対して固定されたゾーン内に維持することを可能にするという点で特に有利である。したがって、ガス流は、弁開放段階にわたって、即ちその最小の開放断面からその最大の開放を経てその閉鎖まで、最も効果的と考えられる同じ方向を維持することが可能である。この点に関し、弁が全開放位置にある間、各隔壁が燃焼筺体に対して中心に保たれることが優先的には保証される。このことは、極めて良好な燃焼性能とタービン内で燃焼プロセスを回復させる優れた能力とにつながる。
【００１７】
好ましくは、前記２つの外側球体オリフィスのそれぞれと、前記内側球体のガス通路の２つの端とは、正面から見ると、全体的に楕円形状を有し、長さは外側球体に対する内側球体の回転軸に垂直に延び、これらのオリフィス／ガス通路の端の中心は前記回転軸に直交する同じ平面、好ましくは直径面内に配置される。これは、開放の開始および終了時、即ち断面が最小である時間に、隔壁のアーモンドまたはスリット形状の影響を低減することを可能にする。これらの時間に幾分円形の外観を維持することによって、隔壁を通過するガス流は良好な条件下に保たれる。好ましくは、オリフィス／端は同じまたは類似の形状を有する。しかしながら、穴の形状は、本発明の範囲を逸脱せずに、例えば円形、四角形等、異なってもよい。
【００１８】
この実施形態は連動した２つの球体を有するが、全てが隔壁の形成に関わるいくつかの上方体を設けることが構想されることが可能であり、上方体は優先的には直径方向に対向する。
【００１９】
好ましくは、少なくとも１つの封止要素が球栓と弁の固定体との間に設けられる。封止要素は、摩耗性材料から作られるシールおよび／またはリング、ならびに／あるいは類似の封止要素から成ってもよい。
【００２０】
優先的には、複数の封止セグメントが２つの要素の間に設けられ、これらのセグメントは好ましくは、球栓の回転軸に平行な面で、かつ燃焼室内の主流方向に直交して配向される。
【００２１】
同等の封止要素が２つの内側および外側球体の間に設けられてもよく、または許容可能な漏れ圧力と流量とに従って、内側球体および外側球体は、それらの間にシールを挿入せずに直接接触していてもよい。
【００２２】
さらに構想された実施形態によると、弁は、隔壁または固定弁体を有する２つの対向する隔壁を画定する単一の球栓を単に備える。
【００２３】
本発明はまた、上述の少なくとも１つの燃焼室を備える燃焼室モジュールであって、前記少なくとも１つの球栓を回転駆動するための手段を備え、前記駆動手段は各球栓を一定の回転速度で駆動するように優先的には設計される、燃焼室モジュールに関する。速度が可変であっても、回転の方向は優先的には無変化のままであり、それにより、駆動部の使用を容易にする。
【００２４】
好ましくは、モジュールは上述の複数の燃焼室を備え、燃焼室はタービンエンジンの駆動軸を中心に、好ましくは任意選択の回転円筒型の配置に従って分配される。
【００２５】
好ましくは、少なくとも１つの燃焼室について、より優先的には燃焼室のそれぞれについて、前記駆動手段は前記吸気弁および前記排気弁を同期的に段階シフトで制御するように設計される。この理由で、これら２つの弁の開放は同時に行われず、同様に前記弁の閉鎖も同じく同時に行われない。しかしながら、両方の弁が特定の時間に開放／閉鎖位置にあってもよいが、この場合これらの弁の開放／閉鎖の程度は異なる。
【００２６】
最後に、本発明はそのような燃焼モジュールを備える航空ターボエンジンに関する。
【００２７】
本発明のさらなる利点および特徴が以下の非限定的な詳しい説明で明らかになる。
【００２８】
この説明は添付図面を参照してなされる。
【図面の簡単な説明】
【００２９】
【図１】本発明によるターボジェットガス発生装置の概略側面図である。
【図２】図１の線ＩＩ−ＩＩに沿った概略断面図である。
【図３】本発明の第１の好ましい実施形態の形態にある、先の図で示された燃焼室内に装着された燃焼室のうちの１つの斜視図である。
【図４】図３の平面Ｐに沿った長手方向断面図である。
【図４ａ】燃焼室の排気弁が異なった位置を占める、図４に相当する部分図である。
【図５】図３および図４に示された燃焼室内に装着された吸気弁の球栓の分解斜視図である。
【図６】図３および図４に示された燃焼室内に装着された吸気弁の球栓の正面図である。
【図７Ａ】図５および図６に示された弁の外側球栓の正面図である。
【図７Ｂ】図７Ａの線Ｂ−Ｂに沿った断面図である。
【図８Ａ】図５および図６に示された弁の内側球栓の正面図である。
【図８Ｂ】図８Ａの線Ｂ−Ｂに沿った断面図である。
【図９Ａ】燃焼サイクル中の吸気弁および排気弁の状況の概略図である。
【図９Ｂ】図９Ａに示された状況にある吸気弁の正面図である。
【図９Ｃ】図９Ａに示された状況にある排気弁の正面図である。
【図１０Ａ】燃焼サイクル中の吸気弁および排気弁の状況の概略図である。
【図１０Ｂ】図１０Ａに示された状況にある吸気弁の正面図である。
【図１０Ｃ】図１０Ａに示された状況にある排気弁の正面図である。
【図１１Ａ】燃焼サイクル中の吸気弁および排気弁の状況の概略図である。
【図１１Ｂ】図１１Ａに示された状況にある吸気弁の正面図である。
【図１１Ｃ】図１１Ａに示された状況にある排気弁の正面図である。
【図１２Ａ】燃焼サイクル中の吸気弁および排気弁の状況の概略図である。
【図１２Ｂ】図１２Ａに示された状況にある吸気弁の正面図である。
【図１２Ｃ】図１２Ａに示された状況にある排気弁の正面図である。
【図１３Ａ】燃焼サイクル中の吸気弁および排気弁の状況の概略図である。
【図１３Ｂ】図１３Ａに示された状況にある吸気弁の正面図である。
【図１３Ｃ】図１３Ａに示された状況にある排気弁の正面図である。
【図１４】燃焼サイクル中の吸気弁および排気弁の開放断面を示すグラフである。
【図１５】燃焼室が本発明の第２の好ましい実施形態の形態にある、図４に類似の図である。
【図１６】代替実施形態の形態にある、第２の実施形態の燃焼室に類似の燃焼室の一部を示す図である。
【発明を実施するための形態】
【００３０】
図１を参照すると、航空ターボエンジン１、好ましくはターボジェットのエンジンが見られる。
【００３１】
発生装置は従来式に、上流から下流に、１つまたは複数のコンプレッサモジュール２、燃焼モジュール４、および１つまたは複数のタービンモジュール６を備える。従来式に、コンプレッサおよびタービンは、タービンエンジンの受動機、例えばターボジェットの場合には送風機（図示されず）を駆動するシャフトシステム８によって接続される。
【００３２】
図２に示された燃焼モジュール４は、駆動軸１１上のシャフトシステム８を中心に分配された複数の燃焼室１０を統合することを示す。例えば１４から４０の間の数で設けられる燃焼室１０は、優先的には全て同一である。これらの燃焼室の数は、それらのうちの１つが異常を起こした際、直径方向に対向する２つの燃焼室円筒を無効化し、したがってタービン入口での流れの反対称を防止することが可能であるように、優先的には偶数である。
【００３３】
燃焼室は、いわゆる円筒の構成で配置され、それにより、好ましくは、タービンエンジンの動作中にモータケーシングに対して静止したままであることが意図される。
【００３４】
各燃焼室１０はＣＶＣ型であり、即ちその端で、ハンフリーサイクルの３つの連続段階、即ち吸気−燃焼−排気を実施するように同期させられた２つの吸気および排気弁によって閉鎖される。これらの燃焼室１０は同一であっても、ハンフリーサイクルの実施に関して、互いに対して自発的に段階シフトされることが好ましい。一例として、吸気段階にある所与の燃焼室が燃焼段階にある別の燃焼室に隣接してもよい。
【００３５】
図３および図４は燃焼室１０のうちの１つを示す。この燃焼室は一般的に、燃焼室中心軸線１２を中心に延びる駆動軸に平行に配向される。燃焼室１０は、軸線１２上に中心がある円形断面を有する円筒状側壁１４を備える。この側壁は燃焼筺体１６の境界を半径方向に画定する。側壁１４はその前端で、軸線１２上に中心があるテーパ状入口壁１８を固定して支承する。同様に、側壁はその後端で、軸線１２上に中心がありまたテーパ状である出口壁２０を固定して支承する。壁１４、１８、および２０は単一の回転部品から作られてもよい。
【００３６】
燃焼室の上流テーパ状閉鎖壁１８の幅細端で、閉鎖壁は圧縮ガス吸気弁２２を備える。同様に、燃焼室の下流テーパ状閉鎖壁２０の幅細端で、閉鎖壁は燃焼ガス排気弁２４を備える。２つの弁２２、２４は本発明に特有のものであり、優先的には同一または類似の設計である。
【００３７】
吸気弁２２は着座の役割を果たす固定体２６ａを備え、この中空の固定体２６ａは、軸線１２上に中心が位置付けられた平頭球の形状の内側表面２８ａを有する。この表面の直径は側壁１４の内径よりも僅かに大きい。この内側表面２８ａの端に、直径方向に対向する２つの着座オリフィス３０ａがそれぞれ画定される。筺体１６の側に配向された着座オリフィスは、入口壁１８の幅細端と協同して画定される。反対側、コンプレッサモジュールの側に位置付けられた着座オリフィスは、コンプレッサモジュールからの圧縮ガスの吸気弁２２への導入を促進するように上流方向に広がる。２つの着座オリフィス３０ａの形状は好ましくは、軸線１２上に中心がある円形である。
【００３８】
内側表面２８ｂは、以下に詳しく記載されるように、吸気弁の２つの球栓のための支承表面の役割を果たす。しかしながら、本発明の範囲から逸脱せずに、球状支承表面は円筒状または円錐状の支承表面によって置き換えられることが可能であることに留意されたい。
【００３９】
本発明の特異性の１つは、特に筺体１６内の定容燃焼段階中に観察される高圧に耐えるために満足な堅牢性および満足な程度の気密性をもたらす少なくとも１つの球栓を使用することにある。より具体的には、２つの球栓は、このように本明細書ではこの第１の好ましい実施形態で使用される。
【００４０】
第１に、これは固体球の形状の内側球体３２ａから成り、固体球は、この球の中心を通過する軸線に沿って延びるガス通路３４ａによって横断され、この球の中心は、着座の役割を果たす固定体の内側支承表面２８ａの中心に対応する。球３２ａは好ましくは単一の部片から作られる。任意選択で、球には、以下に記載される外側球３８ａの衝撃冷却および／またはこの球３２ａの外側表面のフィルム冷却が意図された気流循環用の冷却チャネルが穿たれる。
【００４１】
球３２ａの通路３４ａは優先的には一定の断面を有する。
【００４２】
弁２２は、中空球の形状の外側球体３８ａをさらに備え、内側表面は、一方の球が他方の球に対して自由回転するのを可能にする滑り嵌めで収容および保持を可能とするために、球３２ａの外側表面の直径よりも僅かに大きな直径を有する。さらには、球３８ａの外側表面は、収容および保持されることによって球の支承表面内での自由回転も可能にするように、固定体２６ａの内側支承表面２８ａの直径よりも実質的に小さな直径を有する。
【００４３】
内側球体３８ａには、相互に離れたオリフィス４０ａが設けられ、オリフィスはまた直径方向に対向する。球の厚さをそれぞれ通過する２つのオリフィス４０ａは、中心が球の直径上に配置される。
【００４４】
連動した内側球体３２ａおよび外側球体３８ａは、駆動軸１２に垂直な回転軸４２ａに沿って互いに対して回転可能に取り付けられる。より具体的には、各球体は、枢動部または同等の要素を使用して、着座の役割を果たす固定体２６ａ上に回転可能に取り付けられる。以下で詳述されるように、内側球体３２ａおよび外側球体３８ａは二重反転すること、即ち軸４２ａを中心に反対の方向に沿って、好ましくは一定の速度で回転させられることが意図される。この点に関して、燃焼モジュール４はこれらの球栓を回転駆動するための手段を備え、図４に概略的に示されているこれらの手段４６は従来式に制御ユニット、好ましくはＦＡＤＥＣによって制御される１つまたは複数のモータを備えることに留意されたい。これらの手段４６は排気弁２４とさらに共有される。
【００４５】
同じ図４は、オリフィス４０ａの中心５０ａと、ガス通路３４ａの２つの開放端５４ａのそれぞれの中心５２ａとを示す。４つの中心５０ａ、５０ａ、５２ａ、５２ａは図４の同じ切断面Ｐ内に配置され、この直径面は回転軸４２ａに直交する。平面Ｐ上の中心のこの配置は、球栓３２ａ、３８ａの回転中維持される。
【００４６】
図５から図８Ｂを参照すると、２つの球栓３２ａ、３８ａが示されている。図５で示されているように、球３８ａは、例えば溶接によって互いに固定して取り付けられる２つの半球を使用して得られてもよい。半球のそれぞれは２つのオリフィス４０ａのうちの１つを有する。図７Ａおよび図７Ｂで見られるオリフィスは、図７Ａのように正面から見ると、オリフィスが全体的に楕円形状を有し、長さ５６ａが回転軸４２ａに垂直に延び、この長さ５６ａが平面Ｐ内に位置付けられるというものである。
【００４７】
同様に、図８Ａおよび図８Ｂで見られるガス通路３４ａの各端５４ａは、図８Ａで正面から見ると、端が全体的に楕円形状を有し、長さ５８ａが回転軸４２ａに垂直に延び、この長さ５８ａも平面Ｐ内に位置付けられるというものである。より具体的には、端５４ａおよびオリフィス４０ａは、これらの穴が燃焼室の軸線１２沿って位置合わせされるとき対で互いに対して完全に連続して位置付けられるように、実質的に同一の形状を有する。したがって、この位置合わせ位置で、正面図で、長さ５６ａ、５８ａは実質的に同一である。これらの長さは固定体２６ａのオリフィス３０ａの直径以下である。
【００４８】
図６で、各オリフィス４０ａは、ガス通路３４ａの端５４ａのうちの１つと共に本発明に特有の隔壁６０ａを形成するのが示されている。
【００４９】
したがって、各隔壁６０ａは、この隔壁を形成するオリフィス４０ａと端５４ａとの間の重ね合わされた面積に依存する開放断面を有し、この面積は２つの栓３２ａ、３８ａの間の相対角度位置に従って変動する。隔壁６０ａの全開放は穴４０ａ、５４ａの形状に対応し、断面は、栓３２ａ、３８ａの二重反転運動中に中心５０ａ、５２ａが互いに離れて円周方向に移動するにつれて減少する。同様に、全開放を得る前、断面は中心５０ａ、５２ａが軸線１２上で位置合わせされるまで増大する。
【００５０】
穴の楕円形状に起因して、隔壁６０ａは開放の開始および終了時に、ガス流を満足な条件下で循環させるのに適したディスクの形状に近づいた全体形状を維持する。
【００５１】
穴４０ａ、５４ａの特有な配置に起因して、２つの隔壁６０ａは連続的に直径方向に対向し、常に同じ開放断面を備える。この点で、２つの栓の回転中に、２つの隔壁６０ａはそれらの中心が軸線１２上で位置合わせされた状態、またはそれらの中心が前記軸線１２に垂直な軸線上で位置合わせされた状態のいずれかで開くことに留意されたい。第１の場合には、これは、圧縮ガスを筺体１６内に導入するための開放位置に弁２２を設定することを可能にする。この構成は、各栓３２ａ、３８ａの全回転中に２度得られる。上述のように、全開放時、弁固定体のオリフィス３０ａと位置合わせされた２つの隔壁６０ａは、これらのオリフィス３０ａの断面よりも小さな断面を有し、それにより、オリフィスがガス通路の断面に含まれないことを示唆する。
【００５２】
第２の場合には、コンプレッサモジュールからの圧縮ガスは隔壁６０ａを介して移行しガス通路３４ａを通過することが可能でなく、したがって筺体１６に到達することが可能でなく、なぜなら、隔壁６０ａが、燃焼室の燃焼室へのアクセスを与えるオリフィス３０ａ上で開かないためである。したがって、隔壁の開放にも関わらず、弁２２は閉鎖位置にある。さらには、ガス通路３４ａ内に先に捕捉された圧縮ガスが、弁のこの閉鎖位置で燃焼室の筺体に進入しないように、シールのシステムが固定体の内側表面２８ａと外側球体３８ａの外側表面との間に設けられる。図４に戻ると、固定体２６ａによって支承され全てが回転軸４２ａに平行な平面に配置される３つの円形封止セグメントを使用して具体化されたシールのシステムの一例が示されている。システムは、着座の役割を果たす固定体２６ａの２つのオリフィス３０ａの直径面内または近傍に位置付けられた中央セグメント６２ａと、着座の役割を果たす固定体２６ａの２つのオリフィス３０ａの近傍に位置付けられた小直径の２つの側方セグメント６４ａとから成る。同等のシールが球体３２ａ、３８ａの間に置かれてもよいが、球体はシールなしで直接球面接触していることが好ましい。
【００５３】
結果として、隔壁６０ａが燃焼室の軸線１２に垂直に位置合わせされるとき、ガス通路３４ａ内に先に捕捉された圧縮ガスは、下流方向のガス漏れを防止する下流側方シール６４ａの存在に起因して、筺体１６の方に排気されることが可能でない。
【００５４】
再度図４を参照すると、燃焼ガス排気弁２４は、上述の吸気弁２２と同一または類似の設計を有することに留意されたい。したがって、弁２２の要素と同一または類似である弁２４の要素は同じ参照番号を有し、拡張子「ａ」が拡張子「ｂ」によって置き換えられるだけである。
【００５５】
結果として、ここでも穴４０ｂ、５４ｂの特有の配置に起因して、２つの隔壁は連続的に直径方向に対向し、常に同じ開放断面を有する。また２つの栓の回転中、２つの隔壁は、それらの中心が軸線１２上で位置合わせされた状態、またはそれらの中心が前記軸線１２に垂直な軸線上で位置合わせされた状態のいずれかで開く。第１の場合には、これは、筺体１６外への圧縮ガスの排気を可能にする開放位置に弁２４を設定することを可能にする。この構成は、各栓３２ｂ、３８ｂの全回転中に２度得られる。上述のように、全開放時、弁固定体のオリフィス３０ｂと位置合わせされた２つの隔壁は、これらのオリフィス３０ｂの断面よりも小さな断面を有し、それにより、オリフィスがガス通路の断面に含まれないことを示唆する。
【００５６】
隔壁６０ｂが軸線１２に垂直な軸線に沿って位置合わせされる図４ａに示された第２の場合には、排気ステップ後にガス通路３４ｂ内に捕捉された燃焼ガスは、隔壁６０ｂおよび上流オリフィス３０ｂを介して移行することによって放出されて、続いて矢印によって概略的に示されているように筺体１６に到達してもよい。これは特に、上流側方シールセグメントの非存在と、固定体の下流オリフィス３０ｂの直径よりも大きな直径を有する上流オリフィス３０ｂとによって可能にされ、それにより、吸気弁２２との２つの相違を示す。このようにして、上流オリフィス３０ｂは入口壁１８の下流オリフィス３０ａよりも大きな直径を有し、これは、異なった形状の入口壁１８および出口壁２０を設けることによって得られ、出口壁は入口壁ほど軸線１２に近づかない。ガスのこの放出は、上述の排気ステップに続く燃焼ステップ中に筺体１６内の混合物を点火するためのＥＧＲとも呼ばれる燃焼ガス再循環の機能を得ることを可能にする。このＥＧＲの点火は、従来技術から知られている従来式の点火と協同して行われることが好ましい。
【００５７】
次に図９Ａから図１４を参照して、次に燃焼室１０における定容燃焼サイクルの異なった段階について説明する。このサイクル中、上述のように、駆動手段は反対の方向に同一速度を弁の球栓に適用する。さらには、同期させられた吸気弁と排気弁との間には段階シフトがあり、図９Ａから図１３Ｃで明確に分かるように、これらの弁の開放および閉鎖は同時に行われない。
【００５８】
図１４のグラフでは、曲線（Ｃ１）は排気弁２４の開放断面を示し、したがって、隔壁６０ｂが燃焼室の軸線１２に沿って位置合わせされるときの隔壁の開放断面に対応する。曲線（Ｃ２）は吸気弁の開放断面を示し、隔壁６０ａが燃焼室の軸線１２に沿って位置合わせされるときの隔壁の開放断面に対応する。最後に、曲線（Ｃ３）は排気弁２４のＥＧＲ開放断面を示し、隔壁６０ｂが燃焼室の軸線１２に垂直な軸線に沿って位置合わせされるときの隔壁の開放断面に対応する。段階「Ｅ」、「Ａ」、「Ｃ」はそれぞれ排気段階、吸気段階、燃焼段階に対応する。
【００５９】
図９Ａから図９Ｃで、弁２２および２４は排気段階を実施するための構成にある。隔壁６０ｂの開放断面は最大であり、したがって、この状況は図１４のグラフ上の時間ｔ１の状況に対応する。この時間に、弁２２はまさに開き始めて、新たなサイクルの吸気段階を開始する。したがって、隔壁６０ａの通路断面は極めて小さい。
【００６０】
図１０Ａから図１０Ｃに示されている吸気段階の中間では、隔壁６０ａの開放断面は最大であり、したがって、この状況は図１４のグラフ上の時間ｔ２の状況に対応する。この時間に、弁２４はほぼ完全に閉鎖されて、燃焼段階を開始する。したがって、隔壁６０ｂの通路断面は極めて小さい。
【００６１】
図１１Ａから図１１Ｃは、２つの弁２２、２４が閉鎖される燃焼段階を示す。一方、排気弁２４はＥＧＲ構成、即ち図４ａに示された状況にある。したがって、通路３４ｂ内に先に捕捉された燃焼ガスは燃焼筺体内で再循環される。この場合、ＥＧＲの開放断面は最大であり、図１４のグラフ上の時間ｔ３に対応する。
【００６２】
図１２Ａから図１２Ｃは、図１４のグラフ上の時間ｔ４に排気段階を開始する直前の弁を示す。排気弁の隔壁６０ｂは開く準備ができているが、吸気弁２２は閉鎖位置にあるままである。
【００６３】
図１３Ａから図１３Ｃは、排気段階中の図９Ａから図９Ｃに示された弁の位置への弁の復帰を示す。結果として、各球栓の半回転中に全燃焼サイクルが行われ、または言い換えれば、各球栓の全回転は全燃焼サイクル２回に相当する。
【００６４】
図１５は、燃焼室１０の第２の好ましい実施形態を示し、この第２の実施形態は、各弁２２、２４が球栓を２つではなく１つだけ有する点で第１の実施形態とは異なる。その形状は、上述の外側栓３８ａの形状または内側栓３２ａの形状と同一または類似であってもよい。この単一の栓から選択される形状に関わらず、栓内の穴を使用して、かつ着座の役割を果たす固定体２６ａ、２６ｂのオリフィス３０ａ、３０ｂを使用して隔壁が次いで形成される。燃焼室の他の要素は、燃焼サイクルを実施するための方法と共に変わらない。
【００６５】
最後に、図１６は、排気弁２４が第１の好ましい実施形態の吸気弁のシールシステムと同一または類似の３セグメントシールシステムを有する代替実施形態を示す。この場合、単一の球栓３８ｂが中央シール６２ｂと下流側方シール６４ｂとの間に配向されるそのオリフィス４０ｂを有するとき、上述のガス通路３４ｂに匹敵する球の中空内に先に捕捉された燃焼ガスを１つまたは複数の適切な導管７０を介して別の隣接する燃焼室の方に再噴射することが可能である。これらの導管７０は、２つのシールセグメント６４ｂ、６２ｂの間の球状内側表面２８ｂで開くために、固定体２６ｂを通過する通路７２に接続される。
【００６６】
これは、隣接する燃焼室１０にＥＧＲ機能をもたらすことを可能にし、燃焼室は好ましくは、燃焼サイクルの実施において段階シフト、この場合は僅かな遅れを有する。シリンダモジュール４の全ての燃焼室は、図１６に示されたものと同一または類似の形で互いに接続されることが可能である。
【００６７】
当業者によってさまざまな修正形態が単に非限定的な例として上述された本発明になされてもよいことは明らかである。
【図１】
2015528082.tif 000003
【図２】
2015528082.tif 000004
【図３】
2015528082.tif 000005
【図４】
2015528082.tif 000006
【図４ａ】
2015528082.tif 000007
【図５】
2015528082.tif 000008
【図６】
2015528082.tif 000009
【図７Ａ】
2015528082.tif 000010
【図７Ｂ】
2015528082.tif 000011
【図８Ａ】
2015528082.tif 000012
【図８Ｂ】
2015528082.tif 000013
【図９Ａ】
2015528082.tif 000014
【図９Ｂ】
2015528082.tif 000015
【図９Ｃ】
2015528082.tif 000016
【図１０Ａ】
2015528082.tif 000017
【図１０Ｂ】
2015528082.tif 000018
【図１０Ｃ】
2015528082.tif 000019
【図１１Ａ】
2015528082.tif 000020
【図１１Ｂ】
2015528082.tif 000021
【図１１Ｃ】
2015528082.tif 000022
【図１２Ａ】
2015528082.tif 000023
【図１２Ｂ】
2015528082.tif 000024
【図１２Ｃ】
2015528082.tif 000025
【図１３Ａ】
2015528082.tif 000026
【図１３Ｂ】
2015528082.tif 000027
【図１３Ｃ】
2015528082.tif 000028
【図１４】
2015528082.tif 000029
【図１５】
2015528082.tif 000030
【図１６】
2015528082.tif 000031
【国際調査報告】
2015528082.tif 000032
2015528082.tif 000033
2015528082.tif 000034
2015528082.tif 000035